(57)【要約】      （修正有）【課題】使用中、身体に接しても堅くなくソフトで且つ防冷効果を有し、しかも軽く構造もシンプルな水跳ね防止具を提供する。【解決手段】水を前面で受け止めるための矩形状のシート状体１と、該シート状体１の上方端から一定距離下がった位置に設けられ他所へ着脱自在な取付け具２を備える。取付け具２は、吸着体２Ａ又は磁着体である。更に、取付け具２が、クリップ機能を有し、シート状体１に対して更に着脱自在になっており、シート状体１が、発泡ポリエチレン樹脂にアルミ箔が積層された積層シートよりなる。【選択図】図１
0003178597.tif 000002
【実用新案登録請求の範囲】
【請求項１】
水を前面で受け止めるための矩形状のシート状体と、該シート状体の上方端から一定距離下がった位置に設けられ他所へ着脱自在な取付け具とを備えたことを特徴とする水跳ね防止具。
【請求項２】
取付け具が、吸着体であることを特徴とする請求項１記載の水跳ね防止具。
【請求項３】
取付け具が、磁着体であることを特徴とする請求項１記載の水跳ね防止具。    
【請求項４】
取付け具が、クリップ機能を有し、シート状体に対して更に着脱自在になっていることを特徴とする請求項２又は３記載の水跳ね防止具。
【請求項５】
シート状体が、発泡ポリエチレン樹脂にアルミ箔が積層された積層シートよりなることを特徴とする請求項２又は３記載の水跳ね防止具。
【請求項６】
シート状体の下方端又は横方端に引掛け部を設けたことを特徴とする請求項２又は３記載の水跳ね防止具。
【請求項７】
シート状体が中空の袋状となっていることを特徴とする請求項２又は３記載の水跳ね防止具。
【請求項８】
水を前面で受け止めるための矩形状のシート状体と、該シート状体の上方端から一定距離下がった位置に設けられ他所へ着脱自在な取付け具とを備え、取付け具が吸盤又は磁着体であって、シート状体が発泡ポリエチレン樹脂にアルミ箔が積層された積層シートよりなり、シート状体の下方端又は横方端に引掛け部を設けたことを特徴とする水跳ね防止具。
【考案の詳細な説明】
【技術分野】
【０００１】
本考案は、水跳ね防止具に関し、更に詳しくは、身体に当接してもソフト感があり冷えを感じない水跳ね防止具に関する。
【背景技術】
【０００２】
一般に、水を使う洗面台や流し台では、シンクからの水の跳ね返り現象が生じる。
例えば、流し台Ｗで皿洗い作業を行う際、シンクから跳ね上がった水や、作業中、飛び跳ねた水が身体に降りかかる。
或いは、蛇口から勢いよく出た水道水がシンク底からは跳ね返って、衣服を濡らす。
このような場合、通常、布製の前掛けをする。しかし、前掛けに水が跳ねて付くことから、衣服には直接付着しないが、一旦、前掛けに染みこんだ水は、その下にある衣服を濡らすこととなる。
このように間接的に衣服を濡らす問題があるだけでなく、何よりも前掛けを着用するのは面倒でもある。
以上のような問題点を解決するために、身体に着用するものではなく、相手側の洗面台の方に取り付けて水濡れを防止する手段が開発された。
【０００３】
例えば、特許文献１に示されている水跳ね防止板は、洗面台に取り付けて使用するものである。
これは、流し台や洗面台に直接、取り付けて水跳ねを防止するもので、必要な時だけに取り付けて使用する。
また不必要な時は、取り外しておけばよい。
具体的には、固定板に水跳ね防止板を装着し、板ばね圧入軸の軸間距離を取付軸の同距離より大きくして圧入し、ばね圧効果により水跳ね防止板を好みの高さに調節できるようにし、吸盤でシンク内に吸着できるよう構成したものである。
【０００４】
また特許文献２に示されている水跳ね防止パネルは、洗面台の側縁部のリム部に水跳ね防止パネルの挟持片と下端部とで形成される嵌合部を弾性嵌合するものである。
これは洗面台への取り外しが簡単である。
しかし前者のものは構造的に複雑であり、また後者のものは、水跳ね防止パネルの嵌合部が洗面台の側縁部のリム部に合致する寸法関係に設定されている必要がある。
そのため汎用性に欠ける。
更に、また、両者とも、いわゆる水跳ね防止板や水跳ね防止パネルを使っているため、積極的な可撓性がなく、むしろ剛性を有するものであり、また板材なので、堅く且つ重い。
【０００５】
例えば、人が前屈みになって洗い作業をする際には、水跳ね防止板や水跳ね防止パネルの上端部が腹部等に強く当接して圧迫感を与え作業がしづらい。
因みに、先述の特許文献１に示されている水跳ね防止板は、この点を考慮して上端部の角部が曲面に形成されている。
しかし上からの体重が加わると腹部に当たって圧迫感が加わり心地よいソフト感は得られない。
また、冬場等の寒い時節では、板材が腹部に当たって身体が冷え健康に悪い。
【先行技術文献】
【特許文献】
【０００６】
【特許文献１】実用新案登録第３０５９９３１号公報
【特許文献２】特開平１１−２２２８９３号公報
【考案の概要】
【考案が解決しようとする課題】
【０００７】
本考案は、以上の事情を背景になされたものである。
すなわち、本考案の目的は、使用中、身体に接しても堅くなくソフトで且つ防冷効果を有し、しかも軽く構造もシンプルな水跳ね防止具を提供することである。
【課題を解決するための手段】
【０００８】
上記課題を解決するために、鋭意、研究した結果、シート状のもので、跳ね返りを受けるようにすることで、軽く、しかも身体にソフトに当接できることを見出し、この知見に基づいて本考案に考えが至ったものである。
【０００９】
即ち、本考案は、（１）、水を前面で受け止めるための矩形状のシート状体１と、該シート状体１の上方端から一定距離下がった位置に設けられ他所へ着脱自在な取付け具２とを備えた水跳ね防止具Ａに存する。
【００１０】
即ち、本考案は、（２）、取付け具２が、吸着体２Ａである上記（１）記載の水跳ね防止具Ａに存する。
【００１１】
即ち、本考案は、（３）、取付け具２が、磁着体２Ｂである上記（１）記載の水跳ね防止具Ａに存する。
【００１２】
即ち、本考案は、（４）、取付け具２が、クリップ機能を有し、シート状体１に対して更に着脱自在に（取り付け取り外し自在に）なっている上記（２）又は（３）記載の水跳ね防止具Ａに存する。
【００１３】
即ち、本考案は、（５）、シート状体１が、発泡ポリエチレン樹脂にアルミ箔Ｍが積層された積層シートよりなる上記（２）又は（３）記載の水跳ね防止具Ａに存する。
【００１４】
即ち、本考案は、（６）、シート状体１の下方端又は横方端に引掛け部を設けた上記（２）又は（３）記載の水跳ね防止具Ａに存する。
【００１５】
即ち、本考案は、（７）、シート状体１が中空の袋状となっている上記（２）又は（３）記載の水跳ね防止具Ａに存する。
【００１６】
即ち、本考案は、（８）、水を前面で受け止めるための矩形状のシート状体１と、該シート状体１の上方端から一定距離下がった位置に設けられ他所へ着脱自在な取付け具２とを備え、取付け具２が吸盤又は磁着体２Ｂであって、シート状体１が発泡ポリエチレン樹脂にアルミ箔Ｍが積層された積層シートよりなり、シート状体１の下方端又は横方端に引掛け部を設けた水跳ね防止具Ａに存する。
【００１７】
なお、本考案の目的に沿ったものであれば上記（１）〜（８）を適宜組み合わせた構成も採用可能である。
【考案の効果】
【００１８】
本考案の水跳ね防止具Ａは、身体に当たっても柔軟であるので、使用中に身体に当接してもソフトであり、また防冷効果があり冬場でも身体が冷えることがない。
また軽く構造もシンプルである。
シート状体１が、発泡ポリエチレン樹脂にアルミ箔Ｍが積層された積層シートよりなると、より効率よい撥水効果と防冷効果が得られる。
取付け具２が、クリップ機能を有することで、水跳ねを防止する位置（すなわち高さ）の上下調整が可能である。
シート状体１の下方端又は横方端に引掛け部Ｐ１，Ｐ２を設けたことで、吊り下げて収納することができる。
【図面の簡単な説明】
【００１９】
【図１】図１は、本考案の水跳ね防止具の第１の実施の形態（吸着体を備えたもの）を示す図であり、図１（Ａ）は、正面図、図１（Ｂ）は、側面図である。
【図２】図２は、本考案の水跳ね防止具Ａの第１の実施の形態（吸着体を備えたもの）を示す斜視図である。
【図３】図３は、本考案の水跳ね防止具を流し台に取り付けた使用状態（吸着体を備えたもの）を説明する図であり、図３（Ａ）は、シンク側壁面が平面の場合、図３（Ｂ）は、シンク側壁面が突起部を有する場合を示す。
【図４】図４は、本考案の水跳ね防止具の第２の実施の形態（磁着体を備えたもの）を示す図であり、図４（Ａ）は、正面図、図４（Ｂ）は、側面図である。
【図５】図５は、本考案の水跳ね防止具の第２の実施の形態（磁着体を備えたもの）を示す斜視図である。
【図６】図６は、本考案の水跳ね防止具を流し台に取り付けた使用状態（磁着体を備えたもの）を説明する図であり、図６（Ａ）は、シンク側壁面が平面の場合、図６（Ｂ）は、シンク側壁面が突起部を有する場合を示す。
【図７】図７は、本考案の水跳ね防止具の第３の実施の形態（クリップ体を備えたもの）を示す上面図である。
【図８】図８は、本考案の水跳ね防止具の第３の実施の形態（クリップ体を備えたもの）を示す正面図である。
【図９】図９は、本考案の水跳ね防止具の第３の実施の形態（クリップ体を備えたもの）においてクリップ体の位置を上方に移動させた状態を示す図であり、図９（Ａ）は、側面図を、また図９（Ｂ）は、正面図を示す。
【図１０】図１０は、本考案の水跳ね防止具の第４の実施の形態（シート状体が中空の袋状であるもの）を示す横断面図である。
【図１１】図１１は、引っ掛け部を備えた水跳ね防止具の第５の実施の形態を示す図で、図１１（Ａ）は延出した引っ掛け部、図１１（Ｂ）は、貫通孔を設けた引っ掛け部を示す。
【図１２】図１２は、流し台に本考案の水跳ね防止具Ａを取り付けた使用状態を示す図である。
【図１３】図１３は、本考案の水シート状体の例を示す図であり、図１３（Ａ）は、発泡樹脂シート、図１３（Ｂ）は、片面にアルミ箔Ｍを積層したシート、図１３（Ｃ）は、両面にアルミ箔を積層したシートをそれぞれ示す。
【考案を実施するための形態】
【００２０】
以下、本考案を実施するための最良の形態を図面を用いて説明する。
【００２１】
（第１の実施形態）
本考案の水跳ね防止具Ａは、構造がシンプルで軽い。しかも使用中に身体に当たっても可撓性があるのでソフトであり、また防冷効果があるため当接しても冬場に身体が冷えることがない等の利点を有するものである。
【００２２】
図１は、本考案の水跳ね防止具Ａの第１の実施の形態（吸着体２Ａを備えたもの）を示す図であり、図１（Ａ）は、正面図、図１（Ｂ）は、側面図である。
【００２３】
図２は、本考案の水跳ね防止具Ａの第１の実施の形態（吸着体２Ａを備えたもの）を示す斜視図である。
【００２４】
この水跳ね防止具Ａは、大きくは、シート状体１１と取付け具２とを備えている。
このシート状体１は、矩形状に形成され水を前面で受け止めるための部分として使用され、また取付け具２は、シート状体１を他所（例えば、流し台Ｗ、洗面台Ｗ等）に取り付けるための部分として使用される。
前者のシート状体１は矩形のものが好ましく、材料としては、堅くなく適度に可撓性のあるプラスチック製の発泡シートが採用され、熱伝導性や撥水性の観点から金属箔が積層された積層シートが好ましい。
可撓性があることで、シンクで洗い作業の中、頭を下げて身体を前方に曲げようとすると、シート状体１が身体の曲がりに沿って一次的に変形することができる。
そのため、腹部等に圧迫感を与えない。
【００２５】
図１３は、発泡ポリエチレン樹脂にアルミ箔Ｍが積層された積層シートを示し、図１３（Ａ）は単層の発泡樹脂シート、図１３（Ｂ）は、片面にアルミ箔Ｍが積層されたシート、図１３（Ｃ）は、表裏両面にアルミ箔Ｍが積層されたシートをそれぞれ示す。
図に示すように、表裏両面にアルミ箔Ｍが積層されたものは、水の当たる面と身体の当たる面の両方がアルミ箔Ｍとなるので、シンク側は水を撥水し、身体側は熱伝導性による保温効果を発揮する。
またアルミ箔Ｍの面は汚れても拭き取れる。
【００２６】
本考案の水跳ね防止具Ａは、流し台Ｗに取り付けた場合、従来のものと異なってパネル状でなく堅くないため、作業者が前屈みになっても、シート状体１が可撓性により多少屈曲し腹部に当接しても圧迫感を感じない。
またシート状体１が発泡樹脂シートの場合は、熱伝導性が低く、冬場等で腹の部分が当たっても冷たく感じない。
特に、発泡ポリエチレン樹脂にアルミ箔Ｍが積層されたものは、伝熱性が特に低く、腹の冷えが確実に防止される。
特に冷え性の女性や老人であっても安心して使用できる。
またこの発泡ポリエチレン樹脂にアルミ箔Ｍが積層された積層シートを使った場合は、その面をシンク側に向けるとアルミ箔Ｍの部分がシンク側から跳ね返る水に当たっても水を弾くため濡れない。
【００２７】
ここで、水跳ね防止具Ａの大きさは、シート状体１の大きさでほぼ決まる。
流し台Ｗで作業する場合、シート状体１は身体に水が跳ねて付着することを防止する程度の大きさであればよいが、通常、好ましくは、縦２０ｃｍ〜５０ｃｍ、横３０ｃｍ〜６０ｃｍ、厚さ５ｍｍ〜１０ｍｍが採用される。
また、シート状体１の周囲に縁部を設け、いわゆる腰を強くすることもできるが、この場合は、別体の縁部を設けたり、或いはシート状体１の周囲を一定幅を折り曲げて２重にする等の工夫を行う。
【００２８】
ところで、取付け具２は、水跳ね防止具Ａを他所に着脱自在（すなわち「取り付け取り外し自在」に）とすることができる機能を有するものである。
この取付け具２はシート状体１の左右両サイドに設けられており、他所（例えば、流し台Ｗ、洗面台Ｗ等）に安定して取り付けることができる。
また取付け具２はシート状体１の上方端から一定距離Ｈだけ下がった位置に設けられており、そのため水跳ね防止具Ａを他所へ取付けた場合、流し台Ｗの側壁部上端から上方に一定距離突出させることができる（図１２参照）。
【００２９】
上述の図１〜図２に示す取付け部は、吸着体２Ａ（例えば、吸盤等）の例である。
吸着体２Ａは、金属面、木面、プラスチック面等の平坦な場所に吸着するので、流し台Ｗの前面が金属でも木やプラスチックであっても取り付けられる。
【００３０】
図３は、本考案の水跳ね防止具Ａを流し台Ｗに取り付けた使用状態（吸着体２Ａを備えたもの）を説明する図であり、図３（Ａ）は、シンク側壁面Ｗ１が平坦面の場合、図３（Ｂ）は、シンク側壁面Ｗ１が突起部を有する場合を示す。
図３（Ａ）の場合は、シンク側壁面Ｗ１が平坦であるので、吸着体２Ａを適宜の位置に取り付けることができる。
また図３（Ｂ）の場合のようにシンク側壁面Ｗ１が突起部を有していても、シート状体１が可撓性を有するので、多少屈曲して突起部の上を乗り越えることができる。
【００３１】
（第２の実施形態）
次に示す図４〜図５は取付け具２が磁着体２Ｂ（例えば、磁石等）の場合の例を示す。
図４は、水跳ね防止具Ａの第２の実施の形態（磁着体２Ｂを備えたもの）を示す図であり、図４（Ａ）は、正面図、図４（Ｂ）は、側面図である。
【００３２】
図５は、水跳ね防止具Ａの第２の実施の形態（磁着体２Ｂを備えたもの）を示す斜視図である。
【００３３】
また図６は、水跳ね防止具Ａを流し台Ｗに取り付けた使用状態（磁着体２Ｂを備えたもの）を説明する図であり、図６（Ａ）は、シンク側壁面Ｗ１が平面の場合、図６（Ｂ）は、シンク側壁面Ｗ１が突起部を有する場合を示す。
磁着体２Ｂは、磁石板等が使われており、金属面に吸着するので、流し台Ｗの前面が金属であれば使用できる。
この第２の実施の形態も、図６（Ａ）のように、金属のシンク側壁面Ｗ１に適宜の位置で取り付けることができ、また図６（Ｂ）のように、シンク側壁面Ｗ１が突起部を有していても、多少屈曲してそれを乗り越えることができる。
【００３４】
ところで、取付け具２において磁石等の磁着体２Ｂや吸盤等の吸着体２Ａをシート状体１に固定するのは、上述した実施の形態のように、直接、接着剤、或いはネジ等の固定具で固定してもよいが、間に図示しない別部材を介させて固定しても当然よい。
【００３５】
（第３の実施形態）
一方、取付け具２が、シート状体１に対するクリップ機能を有することで、シート状体１に対して着脱自在とすることができる。
クリップ機能を備えるものとして、クリップ体２Ｃがあるが、この場合、吸着体２Ａや磁着体２Ｂの基部を延長させてその延長部にクリップ体２Ｃを設けるとよい。
このクリップ機能はシート状体１を挟み付けることにより、そこに固定するものである。
【００３６】
図７は、本考案の水跳ね防止具Ａの第３の実施の形態（クリップ体２Ｃを備えたもの）を示す上面図である。
【００３７】
図８は、本考案の水跳ね防止具Ａの第３の実施の形態（クリップ体２Ｃを備えたもの）を示す正面図である。
クリップ体２Ｃであるとシート状体１への取り付け位置を変えることができ、極めて便利である。
【００３８】
図９は、本考案の水跳ね防止具Ａの第３の実施の形態（クリップ体２Ｃを備えたもの）においてクリップ体２Ｃの位置を上方に移動させた状態を示す図であり、図９（Ａ）は、側面図を、また図９（Ｂ）は、正面図を示す。
流し台Ｗで洗いもの等の作業をする場合、人の背丈によって、水跳ねを防止する位置（すなわち高さ）が異なる。
背の高い人は、腹部の位置が高くなるため、水跳ねを受ける部分もが高くなり、背の低い人は、逆に低くなる。
背の高い人は、シンクの側壁上端面から高く突出した位置に、また背の低い人は、シンクの側壁上端面から低く突出した位置にくるように、上下位置を調整する。
【００３９】
手順としては、高くする場合、まずシンク側壁面Ｗ１に吸着されているクリップ体２Ｃを一旦緩める。
次にシート状体１を所定の距離だけ上方へ移動する。
最後に適当な位置でクリップ体２Ｃを締めて留める。
取付け具２が、磁着体２Ｂの場合も同様で、シンク側壁面Ｗ１に磁着されているクリップ体２Ｃを緩めたり、或いは締めたりしてシート状体１を上下位置に調整すればよい。
これらの操作は、ワンタッチで行えて非常に簡単であり老人でもできる。
【００４０】
（第４の実施形態）
ところで、本考案では、シート状体１にクッション性を与えることが可能である。
図１０は、水跳ね防止具Ａの第４の実施の形態（シート状体１が中空の袋状であるもの）を示す横断面図である。
図のように、シート状体１を中空に、すなわち内部に空間Ｓを有する袋状にしたので、クッション性が高まり、身体を流し台Ｗに強く押し付け場合にも圧迫力が解消され、十分なソフト感が得られる。
【００４１】
（第５の実施形態）
本考案の水跳ね防止具Ａは、どの実施の形態も跳ねた水を受け取る部分であるシート状体１が、可撓性を有し屈曲するので、二つ折りにして他部所に収納すること、また二つ折り或いは巻き込んで輪ゴム等を掛けて小さくしておくことができる。
そしてシート状体１の下方端又は横方端に引掛け部Ｐ１，Ｐ２を設けることで、この引掛け部を他部所に引っ掛けて吊り下げておくことも可能である。
【００４２】
図１１は、引掛け部を備えた水跳ね防止具Ａの第５の実施の形態を示す図で、図１１（Ａ）は延出した引掛け部Ｐ１、また図１１（Ｂ）は、貫通孔を設けた引掛け部Ｐ２を示す。
具体的には、この引掛け部には、いずれも孔が設けられているので、この孔を例えば、図示しない壁面のフックに引っ掛けることで吊り下げておくことができ収納が便利で邪魔にならない。
この引掛け部を設ける位置は、シート状体１の下方端に限らず、左右の横方端に設けてもよい。
しかも下方端と横方端に２カ所、或いは、下方端と左右の横方端の３カ所でもよい。
【００４３】
以上、本考案を説明してきたが、本考案はその本質に変更のない限り、実施の形態のみに限定されるものではなく多様な変形例が可能である。
シート状体１としては可撓性があれば、３層、またそれ以上の多層のものでも良い。
またシート状体１は、矩形が好ましいが、各辺にカーブを形成してもよいし、上辺が凹状カーブの場合は、身体を前方に曲げた状態では、膨出する腹の丸みに沿って馴染み易い。
またシート状体１は、鋏等で切断して形を変えることができるので体型に合った形状にすることができる。
【産業上の利用可能性】
【００４４】
本考案は、水を前面で受け止めるための矩形状のシート状体１と、該シート状体１の上方端から一定距離下がった位置に設けられ他所へ（洗面台Ｗ、流し台Ｗへ）着脱自在な取付け具２とを備えており、そのため、使用中、接しても堅くなくソフトで且つ身体を冷やすことがなく極めて有用である。
洗面台Ｗや流し台Ｗに使用する他、作業中、水跳ねを防止する必要がある場所であれば、広く適用可能である。
【符号の説明】
【００４５】
１・・・シート状体
２・・・取付け具
２Ａ・・吸着体
２Ｂ・・・磁着体
２Ｃ・・・クリップ体
Ａ・・水跳ね防止具
Ｈ・・距離
Ｍ・・アルミ箔
Ｐ１・・・延出した引掛け部
Ｐ２・・・貫通孔を設けた引掛け部
Ｓ・・・空間
Ｗ・・・流し台（洗面台）
Ｗ１・・・シンク側壁面
【図１】
0003178597.tif 000003
【図２】
0003178597.tif 000004
【図３】
0003178597.tif 000005
【図４】
0003178597.tif 000006
【図５】
0003178597.tif 000007
【図６】
0003178597.tif 000008
【図７】
0003178597.tif 000009
【図８】
0003178597.tif 000010
【図９】
0003178597.tif 000011
【図１０】
0003178597.tif 000012
【図１１】
0003178597.tif 000013
【図１２】
0003178597.tif 000014
【図１３】
0003178597.tif 000015